(57)【要約】【課題】非接触通信方式により装置利用者の携帯端末と通信を行なうことができる写真シール作成装置の利便性を向上させる。【解決手段】非接触型の通信手段により、利用者の携帯電話に複数の撮影画像のうちの一部の撮影画像を転送する（Ｓ２１５〜Ｓ２１９）。サーバには、転送されなかった画像を含む画像を送信する（Ｓ２２７，Ｓ２２９）。利用者は、サーバにアクセスすることで、携帯電話に転送されなかった画像を取得することができる。これにより、利用者がサーバにアクセスする機会が増える。【選択図】図７
2008109580.tif 000002
【特許請求の範囲】
【請求項１】
複数の写真画像を作成する作成手段と、
前記複数の写真画像の中から利用者による写真画像の選択を受付ける受付手段と、
前記受付手段で選択された写真画像を、非接触通信方式により利用者の携帯端末に送信する第１の送信手段と、
前記作成手段で作成した複数の写真画像の少なくとも一部の写真画像をサーバに送信する第２の送信手段とを備えた、写真シール作成装置。
【請求項２】
前記複数の写真画像の中から、前記サーバに送信する写真画像を決定する決定手段をさらに備え、
前記第２の送信手段は、前記決定手段で決定された写真画像をサーバに送信し、
前記決定手段は、前記作成された複数の写真画像のうち、前記受付手段で選択された写真画像以外の写真画像を前記サーバに送信する写真画像とする、請求項１に記載の写真シール作成装置。
【請求項３】
利用者の画像取得方法として、複数の方式を選択させる方式選択手段をさらに備え、
前記第１の送信手段は、携帯端末と通信を行なうリーダライタを備え、
前記方式選択手段は、前記リーダライタで携帯端末を認識した場合には、画像取得方法として前記リーダライタを用いた取得方式が選択されたものとする、請求項１または２に記載の写真シール作成装置。
【請求項４】
一連の処理が終わった後に、前記リーダライタで携帯端末が認識されると、携帯端末の置き忘れを防止する案内を行なう、請求項３に記載の写真シール作成装置。
【請求項５】
前記サーバから前記利用者の携帯端末にメールを送信し、そのメールに前記サーバに送信された写真画像にアクセスするための情報を記載する、請求項１から４のいずれかに記載の写真シール作成装置。
【請求項６】
前記利用者の携帯端末のメールアドレスを、非接触通信方式による利用者の携帯端末との通信で取得する、請求項１から５のいずれかに記載の写真シール作成装置。
【請求項７】
前記写真画像をプリントしたシートに前記サーバに送信された写真画像にアクセスするための情報を記載する、請求項１から６のいずれかに記載の写真シール作成装置。
【請求項８】
請求項１から７のいずれかの写真シール作成装置の備える第２の送信手段で送信された写真画像を蓄積する画像提供サーバであって、
前記利用者の携帯端末からアクセスされたときに、前記第１の送信手段を用いて既に利用者の携帯端末に送信された写真画像と、それ以外の写真画像とを区別可能に表示する、画像提供サーバ。
【請求項９】
写真画像を作成する作成手段と、
前記作成された写真画像に対する画像の編集入力を受付ける受付手段と、
前記画像の編集入力中に、写真画像を非接触通信方式により利用者の携帯端末に送信する送信手段とを備えた、写真シール作成装置。
【請求項１０】
前記送信手段で送信された写真画像を、前記画像の編集入力を受付ける画面に表示する表示手段をさらに備えた、請求項９に記載の写真シール作成装置。
【請求項１１】
前記送信手段を用いて写真画像を利用者の携帯端末に送信するための指示を、利用者から受付ける指示受付手段をさらに備え、
前記送信手段は、携帯端末と通信を行なうリーダライタを含み、
前記指示受付手段は、前記リーダライタで携帯端末を認識した場合にのみ、利用者からの指示を受付ける、請求項９または１０に記載の写真シール作成装置。
【請求項１２】
写真画像を作成する作成手段と、
前記作成された写真画像に対する画像の編集入力を受付ける受付手段と、
前記画像の編集に用いる画像を、非接触通信方式により利用者の携帯端末に送信、または非接触通信方式により利用者の携帯端末から受信する通信手段とを備えた、写真シール作成装置。
【請求項１３】
複数の写真画像を作成する作成ステップと、
前記複数の写真画像の中から利用者による写真画像の選択を受付ける受付ステップと、
前記受付ステップで選択された写真画像を、非接触通信方式により利用者の携帯端末に送信する第１の送信ステップと、
前記作成ステップで作成した複数の写真画像の少なくとも一部の写真画像をサーバに送信する第２の送信ステップとを備えた、写真シール作成装置の制御方法。
【請求項１４】
複数の写真画像を作成する作成ステップと、
前記複数の写真画像の中から利用者による写真画像の選択を受付ける受付ステップと、
前記受付ステップで選択された写真画像を、非接触通信方式により利用者の携帯端末に送信する第１の送信ステップと、
前記作成ステップで作成した複数の写真画像の少なくとも一部の写真画像をサーバに送信する第２の送信ステップとをコンピュータに実行させる、写真シール作成装置の制御プログラム。
【発明の詳細な説明】
【技術分野】
【０００１】
この発明は写真シール作成装置、写真シール作成装置の制御方法、および写真シール作成装置の制御プログラムに関し、特に非接触通信方式により装置利用者の携帯端末と通信を行なうことができる写真シール作成装置、写真シール作成装置の制御方法、および写真シール作成装置の制御プログラムに関する。
【背景技術】
【０００２】
ゲームセンターなどに設置され、装置利用者の写真を撮影し、その画像に対して利用者が画像の編集（落書き）を行なった後に、それをシールなどのプリント物として提供する写真シール作成装置が知られている。また、写真シール作成装置において、装置で撮影し作成した写真画像をシールに印刷して提供するだけでなく、写真画像を閲覧、ダウンロードさせ、提供することが行われている（例えば、下記特許文献１参照）。これは、写真画像をユーザの所有する携帯電話機の待ち受け画面等にするためのサービスである。写真シール作成装置に備えられるＰＨＳ等の通信手段は、所定のサーバに写真画像と携帯電話機のメールアドレスとを送信する。サーバは、写真画像閲覧用のＵＲＬを本文に記載したメールを、当該メールアドレスに送信する。
【０００３】
しかし、写真シール作成装置を設置する店舗は電波状態が不安定な場合が多く、ＰＨＳ等の無線による通信方法では、安定して写真画像を提供できないという問題がある。また、電波状態が不安定であれば通信エラーも起こりやすくなり、送信するデータの容量が限られるという問題がある。さらに、通信エラーで送信できない場合はユーザクレームの原因となる。また、上述のメールアドレスをユーザがプレイ中に入力することはわずらわしいという問題がある。
【０００４】
ＰＨＳなどの通信手段を用いる以外に、写真画像を携帯電話機に提供する方法としては、携帯電話機と写真シール作成装置をケーブルで接続する方法（特許文献２参照）、赤外線通信による方法（特許文献３参照）、コネクタによる方法とＰＨＳによる方法を選択して行なう方法（特許文献４参照）なども知られている。しかしながらこれらの方法は、接続または受信待ち受け状態に設定する手間がわずらわしいという問題があり、ユーザに好まれるものではない。
【０００５】
他方、最近では、写真シール作成装置からサーバに送信され保存された写真画像を利用したＷＥＢサービスが登場している。このＷＥＢサービスの会員になれば、写真画像に対する様々なサービスが受けられることになる。このため、写真画像をサーバへ送信し保存することにより、ユーザを効果的に会員登録するよう促すことが可能となる。
【０００６】
また、写真撮影プリント装置の課金処理装置に電子マネー読取・書込部を設け、携帯電話機と相互認証を行ない、携帯電話機における電子マネーの情報、ＩＤ情報等を読取ることが提案されている（特許文献５参照）。
【特許文献１】特開２００３−３３３５７３号公報
【特許文献２】特開２００２−１９９４４６号公報
【特許文献３】特開２００２−３３５３６９号公報
【特許文献４】特開２００２−１２３６２５号公報
【特許文献５】特開２００６−６５４２０号公報
【発明の開示】
【発明が解決しようとする課題】
【０００７】
写真シール作成装置において、従来のサーバを介してユーザの携帯電話に画像を提供する方法を、非接触通信方式により直接ユーザの携帯端末に画像を提供する方法に置き換えることが考えられる。このようにすると、ユーザにとっては便利になるが、サーバに写真画像を送信する意味がなくなる。この結果、サーバに写真画像が蓄積されず、上述のＷＥＢサービスの会員を効果的に集めることができなくなり、ＷＥＢサービスの運用を継続することが難しくなるという問題が生じる。
【０００８】
この発明は、非接触通信方式により装置利用者の携帯端末と通信を行なうことができる写真シール作成装置の利便性を向上させることを目的としている。
【課題を解決するための手段】
【０００９】
上記目的を達成するためこの発明のある局面に従うと、写真シール作成装置は、複数の写真画像を作成する作成手段と、複数の写真画像の中から利用者による写真画像の選択を受付ける受付手段と、受付手段で選択された写真画像を、非接触通信方式により利用者の携帯端末に送信する第１の送信手段と、作成手段で作成した複数の写真画像の少なくとも一部の写真画像をサーバに送信する第２の送信手段とを備える。
【００１０】
好ましくは写真シール作成装置は、複数の写真画像の中から、サーバに送信する写真画像を決定する決定手段をさらに備え、第２の送信手段は、決定手段で決定された写真画像をサーバに送信し、決定手段は、作成された複数の写真画像のうち、受付手段で選択された写真画像以外の写真画像をサーバに送信する写真画像とする。
【００１１】
好ましくは写真シール作成装置は、利用者の画像取得方法として、複数の方式を選択させる方式選択手段をさらに備え、第１の送信手段は、携帯端末と通信を行なうリーダライタを備え、方式選択手段は、リーダライタで携帯端末を認識した場合には、画像取得方法としてリーダライタを用いた取得方式が選択されたものとする。
【００１２】
好ましくは写真シール作成装置は、一連の処理が終わった後に、リーダライタで携帯端末が認識されると、携帯端末の置き忘れを防止する案内を行なう。
【００１３】
好ましくは写真シール作成装置は、サーバから利用者の携帯端末にメールを送信し、そのメールにサーバに送信された写真画像にアクセスするための情報を記載する。
【００１４】
好ましくは写真シール作成装置は、利用者の携帯端末のメールアドレスを、非接触通信方式による利用者の携帯端末との通信で取得する。
【００１５】
好ましくは写真シール作成装置は、写真画像をプリントしたシートにサーバに送信された写真画像にアクセスするための情報を記載する。
【００１６】
この発明の他の局面に従うと、上述のいずれかの写真シール作成装置の備える第２の送信手段で送信された写真画像を蓄積する画像提供サーバは、利用者の携帯端末からアクセスされたときに、第１の送信手段を用いて既に利用者の携帯端末に送信された写真画像と、それ以外の写真画像とを区別可能に表示する。
【００１７】
この発明の他の局面に従うと写真シール作成装置は、写真画像を作成する作成手段と、作成された写真画像に対する画像の編集入力を受付ける受付手段と、画像の編集入力中に、写真画像を非接触通信方式により利用者の携帯端末に送信する送信手段とを備える。
【００１８】
好ましくは写真シール作成装置は、送信手段で送信された写真画像を、画像の編集入力を受付ける画面に表示する表示手段をさらに備える。
【００１９】
好ましくは写真シール作成装置は、送信手段を用いて写真画像を利用者の携帯端末に送信するための指示を、利用者から受付ける指示受付手段をさらに備え、送信手段は、携帯端末と通信を行なうリーダライタを含み、指示受付手段は、リーダライタで携帯端末を認識した場合にのみ、利用者からの指示を受付ける。
【００２０】
この発明のさらに他の局面に従うと、写真シール作成装置は、写真画像を作成する作成手段と、作成された写真画像に対する画像の編集入力を受付ける受付手段と、画像の編集に用いる画像を、非接触通信方式により利用者の携帯端末に送信、または非接触通信方式により利用者の携帯端末から受信する通信手段とを備える。
【００２１】
この発明のさらに他の局面に従うと、写真シール作成装置の制御方法は、複数の写真画像を作成する作成ステップと、複数の写真画像の中から利用者による写真画像の選択を受付ける受付ステップと、受付ステップで選択された写真画像を、非接触通信方式により利用者の携帯端末に送信する第１の送信ステップと、作成ステップで作成した複数の写真画像の少なくとも一部の写真画像をサーバに送信する第２の送信ステップとを備える。
【００２２】
この発明のさらに他の局面に従うと、写真シール作成装置の制御プログラムは、複数の写真画像を作成する作成ステップと、複数の写真画像の中から利用者による写真画像の選択を受付ける受付ステップと、受付ステップで選択された写真画像を、非接触通信方式により利用者の携帯端末に送信する第１の送信ステップと、作成ステップで作成した複数の写真画像の少なくとも一部の写真画像をサーバに送信する第２の送信ステップとをコンピュータに実行させる。
【発明の効果】
【００２３】
これらの発明に従うと、非接触通信方式により装置利用者の携帯端末と通信を行なうことができる写真シール作成装置の利便性を向上させることができる。
【発明を実施するための最良の形態】
【００２４】
以下、本発明の実施の形態の１つにおける写真シール作成装置について説明する。写真シール作成装置は、Felica（登録商標）等の非接触通信方式を採用した携帯電話機と通信を行なう。写真シール作成装置はリーダライタを備え、利用者は携帯電話機をリーダライタに触れさせることで写真画像などの情報の交換を行ない、かつ決済を行なわせることが可能である。
【００２５】
図１は、本発明の実施の形態の１つにおける写真シール作成装置のネットワーク接続例を示す図である。
【００２６】
様々な店舗に設置される複数の写真シール作成装置（機種Ａ）１ａ〜１ｃ、および写真シール作成装置（機種Ｂ）２ａ，２ｂは、インターネットなどのネットワークＮに接続されている。写真シール作成装置１ａ〜１ｃには、撮影や画像入力（編集操作）により得られた画像データなどを記憶する記憶部と、記憶部に記憶された画像データなどを外部に送信するための送信部が備えられている。本実施の形態における送信部は、ＰＨＳカードを差込可能なＰＨＳユニットである。
【００２７】
また、ネットワークＮには、画像提供サーバ２０１が、ＬＡＮ回線などの通信部によってルータに接続し、ルータを介して接続されている。画像提供サーバ２０１は、通信部２０１ａと、制御部２０１ｂと、記憶部２０１ｃとを有している。
【００２８】
ネットワークＮには複数の利用者（ユーザ）の携帯端末装置（例えば携帯電話）２０５ａ〜２０５ｃが接続される。携帯端末装置２０５ａ〜２０５ｃのそれぞれは、通信部２０７と、操作部２０９と、表示部２１１と、記憶部２１３とを有している。
【００２９】
写真シール作成装置１ａ〜１ｃ，２ａ，２ｂで得られた画像データは、その記憶部内の送信フォルダに記憶され、ＰＨＳカードを介してネットワークＮに接続された画像提供サーバ２０１へ送信される。画像提供サーバ２０１は、得られた画像データを記憶する。
【００３０】
また、携帯端末装置２０５ａ〜２０５ｃにより、画像提供サーバ２０１およびネットワークＮを介して画像提供サーバ２０１に蓄積された画像データを利用者は受信することができ、これにより画像データを携帯端末装置２０５ａ〜２０５ｃの待受け画面などに利用することが可能となる。
【００３１】
図２は、本発明の実施の形態の１つにおける写真シール作成装置の外観の具体例を示す斜視図である。
【００３２】
図を参照して、写真シール作成装置は、撮影空間内の被写体である装置利用者を撮影するためのカメラ２１と、カメラ２１により得られた映像をリアルタイムに表示し、かつ利用者からの入力を受付けるタッチパネルディスプレイ２３と、タッチパネルディスプレイ２３へ精度の高い入力を行なうためのタッチペン２３ａと、蛍光灯やストロボを内蔵する照明パネル２４と、プリント物を排出するプリント提供部８とを備えている。
【００３３】
また、写真シール作成装置の上部には、撮影時に音楽を流したり、操作案内のための音声を出力するスピーカ２７が備えられている。写真シール作成装置の内部には、被写体である利用者が座ることができる撮影用椅子５７と、撮影時の背面となる壁５９とが設けられている。撮影用椅子５７や壁５９は、カメラ２１により撮影された画像に対してクロマキー処理を施すためのクロマキー色で彩色されている。
【００３４】
また、写真シール作成装置の側部には、撮影のための対価であるコインを投入するためのコイン投入口５１と、コインの投入状況を示すためのコイン部モニタ５３と、金庫ボックスにつながる扉５５とが設けられている。プリント提供部８の周辺には印刷の案内を行なうための印刷案内モニタ８１が備えられている。
【００３５】
それぞれの照明パネル２４の奥は、それぞれ箱状に形成され、その箱内部に蛍光灯、ストロボ（光源）が配置され、それらの光源からの光が照明パネルを介して被写体に照射される。カメラ２１を囲む３枚の照明パネル（近接撮影用照明パネル）と、それら３枚以外の照明パネル（全身撮影用照明パネル）からの照射のために配置される光源は共用であることが好ましい。例えば、所定の箱内部に配置された光源からの光が漏れ出るように、それぞれの箱内部の壁面に開口部を設け連通させる。これにより、近接撮影と全身撮影とでそれぞれ別に蛍光灯やストロボを設ける必要がなくなり、またいずれの撮影の場合も光の強度を適度な量に保つことが可能となる。
【００３６】
図３は、写真シール作成装置の撮影空間外に設けられる編集装置の構成を示す図である。
【００３７】
図に示されるように、編集装置は、撮影により得られた画像を表示し、画像の編集のための入力を受付けるタブレットディスプレイ３１と、タブレットディスプレイ３１に入力を行なうためのタブレットペン３３とを備えている。
【００３８】
また編集装置には、利用者の携帯電話機を載置することができ、利用者の携帯電話機と通信を行なうことで画像情報を送受信することができるリーダライタ３０１ａ，３０１ｂが備えられている。
【００３９】
図４は、写真シール作成装置の機能構成の具体例を示す図である。
図４を参照して、本実施の形態にかかる写真シール作成装置は、各機能や処理動作のための演算、制御の中心部となり、主に撮影側で行なわれるプレイの処理動作と、印刷を実行する第１コンピュータ装置１００ａと、主に編集側で行なわれるプレイの処理動作を実行する第２コンピュータ装置１００ｂと（説明の便宜上区別する必要がない場合は、これらをまとめてコンピュータ装置１００という。）、基板から構成され、コンピュータ装置１００からの指示を受けて、接続してある各種装置を制御、駆動する制御部１１０とを備える。第１コンピュータ装置１００ａと第２コンピュータ装置１００ｂとは、互いに接続され、画像データや情報データなどの授受をピアツーピアで行なう。これらは写真シール作成装置の制御手段として機能する。
【００４０】
写真シール作成装置は、電源を必要とする蛍光灯２８、ストロボ２６、制御部１１０などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチ１０７を押すことで行なわれる。しかし、電源切断によりコンピュータ装置１００で動作しているプログラムを強制的に終了させることは、動作を不安定にさせる原因となる。そのため、電源が落とされても、しばらくはＵＰＳ（Uninterrupted Power Supply）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００４１】
第１コンピュータ装置１００ａは、第１コンピュータ装置１００ａの中心部として演算処理を行なう演算装置であるＣＰＵ(Central Processing Unit)１０１ａと、装置を動作させるためのプログラムおよびプログラムで必要なグラフィックデータ、音声データ、撮影された画像や撮影画像に対して入力した編集画像、撮影画像と編集画像を合成した合成画像（これら撮影画像、編集画像、合成画像のいずれかがサーバへ送信する写真画像となりうる）、その他の各種画像などを記憶する記憶部１０２ａと、プログラムの一時的な作業領域ともなるメモリ１０３ａと、カメラ、各種モニタ、プリンタなどの周辺機器を制御するためのソフトウェアであるドライバ（不図示）と、必要に応じて磁気ディスクや光ディスクや光磁気ディスク、またはＰＨＳユニット４１を装着する入出力インターフェイス（不図示）とを備える。なお、本実施の形態において、第１コンピュータ装置１００ａは画像提供サーバ２０１とネットワークを介して通信するために、ＰＨＳカード４２を差込可能なＰＨＳユニット４１と接続している。
【００４２】
第２コンピュータ装置１００ｂは、第１コンピュータ装置１００ａと異なり、ＰＨＳユニット４１を接続していないが、その他の構成は第１コンピュータ装置１００ａと同様であるため、詳細な説明は繰り返さない。
【００４３】
コンピュータ装置１００は、電源の投入および切断を制御する電源スイッチ１０７が押され、本装置に電源プラグより電源が投入されると、プログラムが起動されて動作を開始する。第１コンピュータ装置１００ａは、接続されるカメラ２１のシャッタタイミングや、タッチパネルディスプレイ２３での表示および入力や、プリンタ８５での出力を制御する。第２コンピュータ装置１００ｂは、接続されるタブレットディスプレイ３１での表示およびタブレットペン３３による入力を制御する。
【００４４】
第１コンピュータ装置１００ａのＣＰＵ１０１ａは、カメラ２１が撮像する映像（ライブ映像）と、記憶部１０２ａに記憶されている撮影動作に関する指示や操作画面とをタッチパネルディスプレイ２３に表示する。タッチパネルディスプレイ２３への表示は、プログラムに応じてライブ映像のみを表示したり、操作画面を表示したり、ライブ映像と操作画面とを合成して表示したり、別の画面を表示したりする。
【００４５】
ライブ映像と撮影動作に関する情報や操作画面との合成は第１コンピュータ装置１００ａの記憶部１０２ａに記憶されているソフトウェアで行なってもよいし、このような合成をするための専用の制御装置（基板）をタッチパネルディスプレイ２３に接続するなどハードウェアで行なってもよい。
【００４６】
また、第１コンピュータ装置１００ａは、上記プログラムの実行や、タッチパネルディスプレイ２３に含まれるタッチパネルから受信した、利用者の指やタッチペン２３ａなどでタッチされる入力操作にしたがった指示信号に基づいて、制御部１１０に対して制御信号を送信する。第２コンピュータ装置１００ｂは、タブレットディスプレイ３１に含まれるタッチパネルから受信した、タブレットペン３３でタッチされる入力操作に従った指示信号に基づいて、制御部１１０に対して制御信号を送信する。
【００４７】
タッチパネルは、モニタ（ディスプレイ）の上に積層されている。タッチパネルは、利用者の指などが触れられることによる入力を検出する。
【００４８】
タッチパネルディスプレイ２３には、撮影・印刷用コンピュータ装置１００ａから送信されるデータが表示される。撮影・印刷用コンピュータ装置１００ａから送信されるデータとは、カメラ２１から撮像される映像や撮影指示や選択肢などの画像であり、これらを適宜画面に表示することによって、撮影時の映像の視覚確認、操作選択の受付けや各種誘導案内などを行なう。
【００４９】
タブレットディスプレイ３１は、タブレットペン３３からの入力を検出する。タブレットペン３３での入力操作によってタブレットディスプレイ３１により検出されたデータ信号は、第２コンピュータ装置１００ｂに送信される。タブレットディスプレイ３１には、第２コンピュータ装置１００ｂから送信されるデータが表示される。したがって、利用者が落書きなどを入力している最中は、落書きなどが施された撮影画像が、タブレットディスプレイ３１に表示される。すなわち、利用者はタブレットディスプレイ３１に表示された撮影画像に対して、タブレットペン３３を使用して、その上に編集入力処理を行なうことができる。
【００５０】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真シール作成装置は、プリンタ８５でシールが印刷されるものとして説明を行なうが、印刷媒体はシールに限定されず、他の印刷媒体であっても同様の処理が実行される。
【００５１】
プリンタ８５は、上述の用紙切れなどの状態を第１コンピュータ装置１００ａに通知する。第１コンピュータ装置１００ａは、その状態に応じて制御部１１０に制御信号を送信する。
【００５２】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００５３】
制御部１１０は、第１コンピュータ装置１００ａ、第２コンピュータ装置１００ｂおよび電源制御部１０８の他に、コイン制御部１１３、ストロボ制御部１１４、撮影用スピーカ２７、編集用スピーカ３７、印刷案内モニタ８１、コイン部モニタ５３、およびサービスパネル１１６に接続される。
【００５４】
コイン制御部１１３は、コイン投入口に投入されたコインの正当性を検出し、制御部１１０にコインが投入されたことを示す検出信号を送信する。
【００５５】
制御部１１０は、コンピュータ装置１００から受信した制御信号にしたがって、コイン制御部１１３に対して制御信号を送信する。コイン制御部１１３は、該制御信号にしたがって、コインが投入されないようにコイン投入口をブロックするか、コイン投入口に投入されたコインをコイン排出口から排出することができる。コイン制御部１１３は、前者の場合はコインブロッカとして機能し、後者の場合はコインキャンセラとして機能する。このことで、プレイ中にコイン投入を禁止することができる。
【００５６】
ストロボ制御部１１４はカメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２７などの常灯照明装置も同様に制御部１１０と接続され、その照明度合いなどの設定がなされるようにしてもよい。
【００５７】
制御部１１０は、第１コンピュータ装置１００ａから受信した制御信号（指示コマンドなど）にしたがって、撮影用スピーカ２７に対して指示信号を送信し、写真シール作成装置の撮影プレイにおける操作などの案内やＢＧＭ（Back Ground Music）などを出力する。同様に制御部１１０は、第２コンピュータ装置１００ｂから受信した制御信号にしたがって、編集用スピーカ３７に指示信号を送信し、写真シール作成装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００５８】
サービスパネル１１６は、投入されたコインの枚数をカウントするコインカウンタ、印刷されたプリントの枚数をカウントするプリントカウンタ、撮影用スピーカ２７または編集用スピーカ３７から出力する音声のボリュームを調整する音量調整つまみ、テストモードを行なうためのテストボタン、コインを投入しなくても装置が利用できるようにするためのサービスボタン等を備えるパネルであって、写真シール作成装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００５９】
制御部１１０は、コンピュータ装置１００から受信した制御信号にしたがって、サービスパネル１１６に対して制御信号を送信する。サービスパネル１１６は、該制御信号に従って、コインカウンタやプリントカウンタを動作させる（例えばカウンタを１インクリメントする）。
【００６０】
さらに、制御部１１０は、撮影・印刷用コンピュータ装置１００ａから、プリンタ８５の状態に応じた制御信号を受信し、該制御信号にしたがって、印刷案内モニタ８１の表示を制御する。
【００６１】
ＰＨＳユニット４１は、ＰＨＳカード４２を差込むことによって通信部４０として機能する。本写真シール作成装置は、ＰＨＳカード４２によって、第１コンピュータ装置１００ａの記憶部１０２ａに記憶された写真画像および必要な情報などを外部に送信し、サーバから送信される情報を受信し記憶部１０２ａに記憶する。この点については、後に詳細を説明する。
【００６２】
上述のリーダライタ３０１ａ，３０１ｂは、第２コンピュータ装置１００ｂに接続される。２つのリーダライタ３０１ａ，３０１ｂは、２本のタブレットペン３３に対応している。利用者は、タブレットペン３３を持って操作することが多いため、リーダライタ３０１ａ，３０１ｂは、手を離しても携帯電話が落ちないような構造を有していることが好ましい。またリーダライタ３０１ａ，３０１ｂは、落書き操作中などに、利用者の視野に入る範囲に設置しておくことようにすれば、携帯電話の盗難を防ぎやすい。
【００６３】
タブレットディスプレイ３１、左右の利用者のための２つのタブレットペン３３、および左右の利用者のための２つのリーダライタ３０１ａ，３０１ｂを含む編集ブースは、２セット設けられ、それぞれが第２コンピュータ装置１００ｂに接続される。
【００６４】
上述の構成により、撮影ブース１つ、編集ブース２つの３重接客（同時に３組の客に対応可能な接客）を行なうことができる。
【００６５】
なお、言うまでもなく、写真シール作成装置の形態は図１〜図４に示される具体例に限定されるものではない。すなわち、図１〜図４に記載されない他の機能が備えられていてもよいし、図１〜図４に記載されている機能の必ずしも全てが備えられていなくても構わない。
【００６６】
図５は、写真シール作成装置の動作を示すフローチャートである。
写真シール作成装置は、複数組の利用者の、撮影ブースでの撮影処理、第１の編集ブースでの第１の編集処理、第２の編集ブースでの第２の編集処理を同時並行的に処理する。図５のフローは、一組の利用者に提供する一連の処理を表している。
【００６７】
図を参照してステップＳ１０１で、タッチパネルディスプレイ２３にタイトルデモ画面を表示する。ステップＳ１０３でコイン制御部１１３を用いて硬貨の投入を受付ける。なお、硬貨の投入に代えて、電子マネー、クレジットカード、デビットカードでの入金を受付けてもよい。
【００６８】
硬貨が投入されると、ステップＳ１０５で画面に表示される案内に従って、カメラ２１で８回の撮影を行ない、８枚の撮影画像を得る。
【００６９】
ステップＳ１０７で、いずれかの編集ブースにあるタブレットディスプレイ３１（またはタッチパネルディスプレイ２３）に、撮影された８枚の撮影画像を一覧で表示し、落書きで使用する画像を４枚利用者に選択させる。
【００７０】
ステップＳ１０９において、タブレットディスプレイ３１の画面を左右２画面に分割する。これは、左右のタブレットペンのそれぞれに対応する２画面を表示するためのものである。左右のタブレットペンのそれぞれは、２人の利用者がそれぞれ使用することが想定されている。
【００７１】
選択された４枚（画像Ａ，画像Ｂ，画像Ｃ，画像Ｄ）の撮影画像は、２枚ずつ左右の利用者に振り分けられ、２画面（左画面は画像ＡとＢ、右画面は画像ＣとＤ）で落書きを行なわせる。画面中央に画像Ａ，画像Ｂ，画像Ｃ，画像Ｄのサムネイル画像が表示され、利用者がサムネイル画像をタッチすると、それが落書き対象画像として描画領域に大きく表示される。
【００７２】
ステップＳ１１１において、選択された４枚の画像を、どのようなサイズ、枚数のレイアウトで印刷するかを利用者に選択させる。
【００７３】
ステップＳ１１３において、シールに印刷される画像ＩＤを決定する処理を行なう。画像ＩＤは、装置の利用回ごとに決定される固有の英数記号から構成される。サーバに送信される複数の写真画像は、この画像ＩＤに対応付けられて記憶される。画像ＩＤの発行は、写真シール作成装置からの指示に従いサーバが行ない、写真シール作成装置に送られる。
【００７４】
画像ＩＤを決定するタイミングは、シールに画像ＩＤを印刷する前であればいつでもよい。例えば、プレイの前に予め複数個確保しておき、使用していない画像ＩＤを、装置の利用ごとに選択して決定してもよい。
【００７５】
また、写真シール作成装置が画像ＩＤを発行するように構成してもよく、この場合は、装置固有の製造番号等に英数記号などを組み合わせてＩＤを構成することが考えられる。
【００７６】
ステップＳ１１５において、印刷が開始される。これは、選択されたレイアウトに従って、写真画像のサイズ加工、配置をし、印刷用の画像データを作成し、当該印刷用の画像データをプリンタ８５に転送し、印刷を開始するものである。
【００７７】
シール１枚の印刷時間は、予め定まる（例えば１分）ので、この１分間の印刷完了の待ち時間を利用して、ステップＳ１１７で画像提供処理を利用者に提供する。この詳細は、図６以降の説明で述べる。
【００７８】
ステップＳ１１９において、画像提供処理が済めば（１分間の印刷時間が経過すれば）、プレイの終了を画面、音声で知らせるとともに、シール取り出し口からシールを取り出すよう利用者に案内し、編集ブースから出るように利用者に促す。これで、一組の利用者の一連の写真シール作成処理を終了し、次の利用者を待機する工程に戻る。
【００７９】
図６および７は、図５の画像提供処理（Ｓ１１７）の詳細を示すフローチャートである。
【００８０】
フローチャートで示される画像提供処理は、一人の利用者に対して提供される処理を示している。写真シール作成装置は、２つの編集ブースにそれぞれディスプレイが備えられ、それら複数のディスプレイにそれぞれ２つの操作画面を左右に並べて表示する。これにより、２つの操作画面を１組の２人の利用者に同時に提供するよう構成されている。後に示す図８〜１９の画面は、左画面と右画面のいずれかに表示される画面を示している。
【００８１】
しかしながら本発明はこのような形態に限定されるものではなく、１つのディスプレイに１つの操作画面を表示して、複数人の利用者が順次操作するように構成してもよい。すなわち、機能を提供する操作画面の態様は特に限定されるものではない。
【００８２】
また、携帯電話機を所有していない利用者、または画像の取得を希望しない利用者のために、画像提供機能とは別の他の機能（例えば、画像閲覧機能）を設け、画像提供機能と他の機能のいずれかを利用者に選択させ、画像提供機能が選択された場合に、図６および７のフローチャートで示す画像提供処理が実行されるように構成してもよい。
【００８３】
図６を参照してステップＳ２０１において、タブレットディスプレイ３１に画像選択画面が表示される。
【００８４】
図８は、画像選択画面の具体例を示す図である。
この画面では、先の落書き写真選択（図５のステップＳ１０７）で選択され、落書き処理を経た、４枚の写真画像が一覧で表示される。利用者は、携帯電話の待ち受け画像としたい画像を１枚選ぶことができる。利用者は、表示される画像をタブレットペンでタッチすることで１枚の画像を選択することができ、決定ボタンにより決定することができる。選択操作には制限時間があり、制限時間内に決定ボタンが押されない場合は、現在カーソルで示されている写真画像が決定される。
【００８５】
なお、後述の画像取得方法の違いにより、選択可能な枚数を変えてもよい。この場合、画像の選択は、後述の画像取得方法の選択を行った後に、それぞれの方法ごとに行なう。例えば、「メール方式」での取得の場合には１枚の画像の選択を受付け、「直接方式」での取得の場合にはメールアドレスの入力が不要で、画像取得にかかる操作時間が相対的に短いため、２枚の選択を受付けるなどである。
【００８６】
図６のステップＳ２０３で「決定」ボタンが押されたかを判断し、ＹＥＳとなればステップＳ２０５へ移行する。
【００８７】
ステップＳ２０５では、利用者に画像取得方法の選択を行なわせる。
図９は、画像取得方法選択画面の具体例を示す図である。
【００８８】
ここでは利用者に、「メール方式」、「直接方式」、「ＩＤ方式」のいずれかをタブレットペンで選択させる。
【００８９】
なお、選択が行なわれなくとも、非接触通信方式の携帯電話がリーダライタで認識できれば、「直接方式」が選択されたとみなして、画像転送する旨の案内を表示して、転送処理を進める。
【００９０】
この取得方法の選択にも制限時間があり、制限時間が経過してもいずれの方式も選択されない場合は、現在カーソルで選択されている方式が選択されたものとする。
【００９１】
「メール方式」とは、従来のように、利用者が画面の表示に従いメールアドレスを入力する方法である。選択された画像と入力されたメールアドレスとがサーバに送信される。サーバは、このメールアドレスに画像にアクセスするためのＵＲＬを記載したメールを送信する。利用者はそのＵＲＬにアクセスさせることで、選択した画像を取得することができる。
【００９２】
サーバへの送信はＰＨＳ等の通信手段を用いる。非接触通信方式の通信機能を備えている携帯電話を所持していない利用者に画像が提供できない場合、同じ対価を支払ったのに不公平だという不満が起こりうる。そのため、このようにメール方式を選択できるようにしている。写真シール作成装置は、少なくとも非接触通信方式で取得しなかった画像をサーバへ送信するために備えられる通信手段を流用することでメール方式の送信が可能となる。
【００９３】
「直接形式」は、リーダライタを介して携帯電話などの携帯端末に、選択した画像を転送して提供する方法である。
【００９４】
「ＩＤ方式」は、シールシートに印刷されたＩＤを、利用者にＷＥＢサイト上で入力させ、これにより画像を提供する方式である。ＩＤを入力するサイトへアクセスするＵＲＬを入力する手間を省くため、利用者は、シートに印刷されたメールアドレス宛に空メールを送信し、返信されてくるメールに記載されたＵＲＬのリンクをたどることで、ＩＤ入力画面を表示させる。
【００９５】
図６のステップＳ２０７で、ユーザにより「メール方式」が選択されたかを判定し、ＮＯであればステップＳ２０９へ進む。ステップＳ２０９では、ユーザにより「直接方式」が選択されたかを判定し、ＮＯであればステップＳ２１１へ進む。ステップＳ２１１では、ユーザにより「ＩＤ方式」が選択されたかを判定し、ＮＯであればステップＳ２１３へ進む。
【００９６】
ステップＳ２１３では、リーダライタが携帯電話を認識したかを判定する。ＹＥＳであれば、図７のステップＳ２１５において、ステップＳ２０１で利用者により選択された写真画像をリーダライタを介して携帯電話に送信する。
【００９７】
図１０は、携帯電話への写真画像の転送時に表示される画面を示す図である。
この画面の表示中に、選択された写真画像を非接触通信方式によりリーダライタを介して携帯電話に転送する。この画面には、「転送中。携帯電話を外さないでね。」等の案内を表示する。
【００９８】
図７のステップＳ２１７で、転送エラーが生じたかを判定し、ＮＯであればステップＳ２１９で転送完了の画面を表示する。
【００９９】
図１１は、携帯電話への写真画像の転送完了時に表示される画面を示す図である。
転送完了時には、その旨と、引き続きメールアドレスを入力すれば残りの画像も取得できる旨が表示される。この表示により、ユーザにメールアドレス入力を促すことができ、会員登録を行なうよう誘導することができる。
【０１００】
図７のステップＳ２２１において、利用者の選択に基づいてメールアドレスの入力を行なう選択がされたか否かを判定する。
【０１０１】
図１２は、図７のステップＳ２２１において表示される画面を示す図である。
この画面においては、メールアドレスを装置側に教える（装置が取得する）か否かの利用者からの入力を受付けるものである。利用者は、教える場合はメールアドレスを入力する。
【０１０２】
教えるメールアドレスは、必ずしも利用者所有の携帯電話のメールアドレスとは限らない。友人などに送る場合もあるためである。従って、タブレットペンで手入力する（「自分で入力する」）か、リーダライタを介して携帯電話から取得する（「直接方式」）か、の選択を行わせる。
【０１０３】
メールアドレスを入力しない場合は、「教えない」を選択する。この場合、ステップＳ２２３に進む。
【０１０４】
図１３は、ステップＳ２２３で表示されるＩＤ説明画面の具体例を示す図である。
利用者が「教えない」を選択した場合は、図１３に示される、サイトにアクセスしてＩＤを入力すれば画像が取得できることを知らせる案内画面を表示する。この画面に従い、ユーザはシールシートに記載されたメールアドレスに空メールを送る。するとサーバから返信メールが返ってくるため、その本文に記載されたＵＲＬにアクセスを行ない、サイトにおいてシールシートに記載されたＩＤを入力すると、利用者は画像を取得することができる。
【０１０５】
ステップＳ２２３での処理の後、ステップＳ２２５において携帯電話がまだリーダライタに載せられているか（置き忘れがあるか）を確認し、ＮＯであれば、ステップＳ２２７でサーバへ送信する写真画像を決定する。サーバに送信すると決定される写真画像には、ユーザの選択により直接方式で携帯電話に転送された写真画像を含んでもよいし、含まないようにしてもよい。
【０１０６】
ステップＳ２２９で、決定された写真画像をメールアドレスなどと共に、通信部４０を介してサーバへ送信する。
【０１０７】
図６のステップＳ２０７でＹＥＳであるときには、ステップＳ２３１でメールアドレスの入力画面を表示する。
【０１０８】
図１４は、メールアドレス入力画面の具体例を示す図である。
図に示されるように、ここではアルファベット、数字、および記号の入力キーが表示される。これにより、利用者にアドレスを入力させることができる。
【０１０９】
なお、図１４における「会社Ａ」〜「会社Ｃ」のキーは、携帯電話会社ごとのドメイン名（アドレスの「＠」以降の部分）を入力するためのキーである。
【０１１０】
また、図１４の「ＩＤ方式に切替える」が選択されると、入力方法をＩＤ方式に切替えることができる。
【０１１１】
図６のステップＳ２３３で「ＩＤ方式に切替える」が選択されたかが判定され、ＮＯであればステップＳ２３５でメールアドレスの確認画面を表示する。
【０１１２】
図１５は、メールアドレスの確認画面の具体例を示す図である。
ここでは入力されたアドレスを表示し、利用者からＯＫかやり直しの入力を受付ける。
【０１１３】
ＯＫであればステップＳ２２７へ進み、やり直しであればステップＳ２３１へ戻る。
また、ステップＳ２３３でＹＥＳであれば、後述するステップＳ２４３へ進む。
【０１１４】
ステップＳ２０９でＹＥＳであれば、ステップＳ２３７でリーダライタからの信号を確認することで、携帯電話の準備はできているかを判定する。ＹＥＳであればステップＳ２１５へ進み、ＮＯであればステップＳ２３９で携帯電話をリーダライタに置くよう指示する案内画面を表示する。
【０１１５】
図１６は、携帯電話をリーダライタに置くよう指示する案内画面の具体例を示す図である。
【０１１６】
ここでは携帯電話をリーダライタに置いたのであれば、転送ボタンを押すよう指示が出される。また、「メール方式へ変更」が選択されると、メール方式へ変更がなされる。
【０１１７】
ステップＳ２４１でメール方式へ変更がなされたかが判定され、ＹＥＳであればステップＳ２３１へ進み、ＮＯであればステップＳ２３７へ戻る。
【０１１８】
このように、「直接方式」が選択された場合、携帯電話がまだリーダライタに配置されてないことも考えられるため、非接触通信方式の携帯電話がリーダライタで認識されたかを確認し、認識されていれば転送を開始し、所定の時間を経過しても認識されなければ、「非接触通信方式対応の携帯電話をリーダライタに設置してね」などの案内を画面、および音声で行なう。同時に、「メール方式」に変更したい利用者のために、「メール方式へ変更する」ボタンにより、「メール方式」への変更を可能とする。
【０１１９】
準備が完了するまで、この処理を繰り返し、所定の制限時間を経過しても、準備が完了しない場合は、取得方法の選択画面等に処理を戻してもよい。
【０１２０】
また、携帯電話の認識を行なうのと同時に、携帯電話のメモリ容量の残りを確認し、写真画像を保存できない容量の場合には、「直接方式」の選択を受け付けないようにしてもよく、また強制的に「メール方式」に切り替えて処理を進めてもよい。このように予め、転送できない原因を判定することで、操作時間（プレイ時間）の無駄を省くことができる。
【０１２１】
さらに、ＰＨＳ通信の電波状態が悪いとき、またプレイ時間が何らかの要因で長引いているときは、「メール方式」の選択を受け付けないようにしてもよい。
【０１２２】
ステップＳ２１１でＹＥＳであれば、ステップＳ２４３でＩＤ説明画面を表示する。これは、図１３に示す画面と同様の画面である。その後、ステップＳ２２７へ進む。
【０１２３】
ステップＳ２１３でＮＯであれば、ステップＳ２０７へ戻る。
図７のステップＳ２１７でＹＥＳとなれば、ステップＳ２６１でエラー内容を表示し、ステップＳ２０７へ戻る。
【０１２４】
図１７は、エラー内容の表示の具体例を示す図である。
ここでは保存容量に空きがないため転送エラーとなった旨が表示されている。携帯電話の容量不足、転送中に携帯電話を取り外した等、何らかの原因で転送が正常に完了しなかった場合、画面にそのエラー内容を表示し、処理を元に戻すものである。この例では、取得方法の選択に戻しているが、この限りでない。
【０１２５】
図７のステップＳ２２１でＹＥＳであれば、ステップＳ２４５で携帯電話からのメールアドレスの取得を行なうかを判定する。ＹＥＳであれば、ステップＳ２４７でリーダライタを用いて携帯電話からメールアドレスを取得する。これは、メールアドレスを「直接方式」で入力する場合に該当する。画像転送のときと同様、携帯電話をリーダライタにセットするよう案内し、入力中（転送中）の画面を表示し、装置に入力する。
【０１２６】
ステップＳ２４９で取得エラーが生じたかを判定し、ＮＯであればステップＳ２５１でメールアドレスの確認画面（図１５）を表示する。これは、メールアドレスの入力が完了若しくは制限時間が経過すれば、入力したメールアドレスで間違いないか確認させるための画面である。
【０１２７】
メールアドレスがＯＫであればステップＳ２２５へ進み、ＮＧであればステップＳ２２１へ戻る。
【０１２８】
ステップＳ２４５でＮＯであれば、ステップＳ２５３でメールアドレスの入力画面を表示し、メールアドレスの入力を受付ける。
【０１２９】
図１８は、メールアドレスの入力画面の具体例を示す図である。
図を参照して、図１４と同様にメールアドレス入力のためのキーが表示される。また、ユーザは「直接方式に切替える」を選択することで、今の入力をキャンセルして、入力方式を切替えることができる。また、「入力しない」を選択し、今までの入力をキャンセルすることもできる。
【０１３０】
ステップＳ２５５で入力方式を切替えたかが判定され、ＹＥＳであればステップＳ２２１からの処理を行ない、ＮＯであればステップＳ２５１へ進む。
【０１３１】
ステップＳ２４９で取得エラーが生じると、ステップＳ２５７でエラー内容を表示して、ステップＳ２２１へ戻る。これは、「直接方式」で何らかのエラーにより、携帯電話から正常にメールアドレスを取得できなかった場合は、入力方法の選択画面移行させ、入力方法を再度選択させるものである。
【０１３２】
ステップＳ２２５で携帯電話がまだリーダライタに置かれていることが検知されると、ステップＳ２５９で携帯電話の置き忘れを防止する案内を行ない、ステップＳ２２５へ戻る。
【０１３３】
図１９は、携帯電話の置き忘れを防止する案内画面の具体例を示す図である。
リーダライタ部は、手を離しても携帯電話が落ちない構造になっている。このため、利用者が携帯電話を置いたまま帰ってしまうことが考えられる。そこで、一連の処理の最後に、携帯電話が置かれているかを判定するものである。置かれたままのときは、画面と音声で、「携帯を忘れずに持って帰ってね」などの置き忘れ防止の案内を促すのが効果的である。そして、携帯電話の認識が解除されるまで、次の処理に進まないようにすることで、確実に置き忘れを防止することができる。
【０１３４】
非接触通信方式で入手した画像以外の画像を利用者が入手するためには、「装置が画像ＩＤを利用者に知らせる」、または「利用者がメールアドレスを装置に知らせる」のどちらかが必要である。上述の実施の形態では、利用者の選択によりいずれかが選択される。すなわち、非接触通信方式で入手した画像以外の画像を入手するためには、利用者はサイトにアクセスすることが必要であり、以下の２つの方法を選択することができる。
【０１３５】
１つは、利用者が写真シール作成装置でメールアドレスを入力し、装置は、入力されたメールアドレスを画像ＩＤ、写真画像とともにサーバへ送信する方法である。サーバは、このメールアドレスへ、画像にアクセスするためのＵＲＬを記載したメールを送信する。利用者はメールに記載したＵＲＬにアクセスすることにより画像を入手することが可能となる。
【０１３６】
もう一つは、シールに印刷されたＩＤをサイト上で入力してアクセスする方法である。アクセスしやすいように、シールにサイトのＵＲＬを印刷する。または、シールに所定のメールアドレスを印刷し、そのメールアドレスに空メールを送ることで、アクセスＵＲＬを記載したメールが返信される。
【０１３７】
なお、メールアドレスに限らず、利用者の携帯電話の固有情報（電話番号、製造番号等）を取得し、それと写真画像を関連づけてサーバに保存してもよい。この場合、任意の固有情報と写真画像とが関連づけられてサーバに記憶されるため、装置を利用した後に、利用者から固有情報を受け付け、識別可能であれば画像にアクセスする処理を実行する。
【０１３８】
図２０は、サーバから利用者の携帯電話に送信されるメールの具体例を示す図である。
サーバは、入力されたメールアドレス宛に、図に示されるようなメールを送信する。利用者がそのメールに記載されたＵＲＬをクリックすると、サイトにアクセスし、画像を取得することができる。
【０１３９】
図２１は、利用者が非接触通信方式で画像を入手しなかった場合のサイトの表示画面を示す図である。
【０１４０】
ここでは図６のステップＳ２０１で画像Ａが選択されたものとする。また、画像Ａ〜Ｄがサーバへ送信されたものとする。図においては、画像Ａがダウンロード対象として表示される。また、他の画像Ｂ，Ｃ，Ｄは会員登録すると取得できる旨示されている。
【０１４１】
図２２は、利用者が非接触通信方式で画像を入手した場合のサイトの表示画面を示す図である。
【０１４２】
利用者はこの画面において、取得していないその他の画像Ｂ〜Ｄにアクセスできる。利用者は、選択した写真画像Ａを非接触通信方式で１枚取得しているため、その画像には、既に取得した写真であることを表す案内（「この画像は持っているよ！」など）を表示することが好ましい。装置からサーバへ、直接方式で画像Ａを取得している旨の情報を送ることで、このような表示をすることができる。
【０１４３】
既に直接方式で利用者が入手した画像Ａはサーバへ送らないこととしてもよいが、ＷＢＥサイトで提供する機能は、画像の提供だけでなく、画像の加工、プリントサービス等も考えられるため、できるだけサーバに送信し、保存しておくことが望ましい。その場合であっても、既に入手した画像と入手していない画像が区別できるように表示することが、ユーザに注意を促す上で好ましい。
【０１４４】
図２３は、シールシートの具体例を示す図である。
シールシートには、上述したとおり空メールを送信するアドレスと、ＩＤとが表示される。ここでは、左右の利用者で異なるＩＤが表示され、それぞれの利用者に対する写真画像が取得可能にされている。
【０１４５】
［落書き中の転送について］
なお上述の実施の形態では、印刷が完了する間に画像提供処理（図５のステップＳ１１７）を実行しているが、画像を提供する方法は、これに限定されない。
【０１４６】
例えば、落書き中（図５のステップＳ１０９）の落書き画面に「転送」ボタンを表示し、そのボタンをタッチすることで、現在落書き対象として描画領域に表示されている落書き中の画像を１枚の画像として保存し、その保存した画像を携帯電話に転送するようにしてもよい。ＰＨＳ経由で送る画像は、落書き終了後、予め設定された内容で決定すればよい。
【０１４７】
この方法であれば、落書き途中の画像を入手することも可能となる（今までのメール方式では落書き内容が確定された画像しか提供していなかった）ので、同じ対価で利用者により高い付加価値を提供することが可能となる。また、転送中は落書きを受け付けないようにし、その間落書き時間は進むようにすることで、ＣＰＵの処理負担も軽減でき、プレイ時間が長引くことも防止される。すなわち、同じ対価に対しては、同じ時間のサービスを提供することが望ましい（利用者は、落書き時間は減るが画像取得をするか、画像は取得できないが落書き時間は減らない、という２つの選択を行なうことができる）。
【０１４８】
また、リーダライタで随時携帯電話が置かれているか判定し、認識できないときは、「転送」ボタンを受け付けないことが好ましい。
【０１４９】
また、描画領域、サムネイル表示とは別に転送した落書き途中の画像を示す表示をすれば、落書き中に、携帯電話でわざわざ画像を確認する手間が省けるため、落書きに集中できるという効果がある。
【０１５０】
図２４は、携帯電話がリーダライタに置かれていないときの落書き画面の具体例を示す図であり、図２５は置かれているときの落書き画面の具体例を示す図である。
【０１５１】
図２５においては、図２４と比較して、左右ユーザに対して転送ボタン３５１ａ，３５１ｂが表示され、このボタンが押下されることで落書き中の画像が携帯電話に送信される。また、中央にはすでに転送した画像が表示される欄３５３が設けられる。
【０１５２】
［携帯電話から落書き画像を装置に転送する場合について］
また、リーダライタは利用者が落書きを行う場所に設置されているため、このリーダライタを介して携帯電話に保存された画像を写真シール作成装置に転送し、落書きに使用できる画像としてもよい。このようにすることで、自宅で撮影したペットやキャラクタの画像を使って落書きや印刷を行なうことができ、提供するシールの多様性が増す。
【０１５３】
また、装置に予め記憶されている落書き画像、または落書き中に作成した自作スタンプなどをリーダライタを介して携帯電話に転送してもよい。携帯電話の画面は小さいので、携帯画面上でペンを操作して画像作成するより、写真シール作成装置に備わるタブレットペンで作成したほうが画像を作成しやすい。写真シール作成装置での入力および携帯電話への転送を行なうことで、自作の画像、気に入った画像を携帯電話に取り込むことが可能となる。
【０１５４】
図２６は、落書き画面の一部に表示される、写真シール作成装置と携帯電話との通信を行なうためのメニューを示す図である。
【０１５５】
メニュー左には、携帯電話から写真シール作成装置へ画像を転送するための画面が表示され、メニュー右には、写真シール作成装置から携帯電話へ画像を転送するための画面が表示される。
【０１５６】
［会員／非会員の差に基づく制御の変更について］
なお、画像提供処理において直接方式で画像を提供する場合、携帯電話に保存されている固有情報（メールアドレス、会員ＩＤの登録の有無、など）を取得し、サイトの会員か否かを判別してもよい。会員の場合は、直接方式で転送する写真画像を多く（例えば４枚）選択できるようにし、非会員の場合は少なく（例えば１枚）するものである。
【０１５７】
このとき、非会員の場合は「会員になれば４枚取れるよ」等の会員へ勧誘する案内を行なうと、サイトの会員数を増やす効果がある。
【０１５８】
また、会員情報として利用ポイント情報がある場合には、そのポイントの数に応じた枚数の画像を提供するなどしてもよい。
【０１５９】
なお、会員か否かを判断する方法として、携帯電話の「マイメニュー」として会員用のサイトが登録されているか否かを調べることとしてもよい。
【０１６０】
［実施の形態における効果］
以上の実施の形態によると、利用者は、自らの携帯電話をリーダライタに触れるだけで、好みの写真画像を簡便に取得することができる。このため、ＰＨＳ方式での通信の不安定さによる画像取得の失敗、メールアドレスの入力の手間などを防ぐことができる。また、接続方式や赤外線方式による、接続、設定の手間等の問題を解決することが可能となる。
【０１６１】
さらに、サーバにも写真画像が送信されることにより、ＷＥＢサイトでの会員の勧誘を行なうことも可能となる。つまり、会員でなくても、最低限のサービス（１枚の写真画像の取得）を受けることができるが、それ以上のサービス（より多くの画像の提供等）を受けたい場合は、利用者は会員登録をするものと予想される。
【０１６２】
すなわち上述の実施の形態によると、写真シール作成装置において、作成された写真画像を利用者の携帯電話機に提供する機能をより簡便にするとともに、写真画像を活用したＷＥＢサービスの運用にも支障をきたさない写真シール作成装置を提供することができる。
【０１６３】
［その他］
なお、写真シール作成装置においては、１回の撮影で１枚の写真画像を生成する場合もあれば、複数回の撮影で１枚の写真画像を生成する場合もある。また、これら撮影によって得られた写真画像に編集を行ないそれぞれ編集された写真画像を生成する場合もある。さらに、カメラなどの撮影機能を備えない写真シール作成装置を構成することも可能である。この場合はカメラによる撮影に代えて、記憶媒体や通信回線から写真画像を取込む。このように写真シール作成装置において色々な方法で写真画像を生成し、利用することができる。また、写真画像は、カメラで撮影した撮影画像、タブレットで描きこんだ落書き画像と撮影画像を合成した合成画像のいずれであってもよい。
【０１６４】
さらに非接触通信方式としては、フェリカ（登録商標）、モバイルフェリカ（登録商標）、イコカ（登録商標）、トルカ(登録商標)、かざポン(登録商標)等で採用されている、端末若しくはＩＣカードをリーダライタにタッチして行なう通信方式などを採用することができる。
【０１６５】
また、サーバに送信すると決定される写真画像（複数または単数）には、ユーザの選択により直接方式で携帯電話に転送された写真画像を含んでもよいし、含まないようにしてもよい。
【０１６６】
また、上述の実施の形態における処理は、ソフトウエアによって行なっても、ハードウエア回路を用いて行なってもよい。
【０１６７】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１６８】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６９】
【図１】本発明の実施の形態の１つにおける写真シール作成装置のネットワーク接続例を示す図である。
【図２】本発明の実施の形態の１つにおける写真シール作成装置の外観の具体例を示す斜視図である。
【図３】写真シール作成装置の撮影空間外に設けられる編集装置の構成を示す図である。
【図４】写真シール作成装置の機能構成の具体例を示す図である。
【図５】写真シール作成装置の動作を示すフローチャートである。
【図６】図５の画像提供処理（Ｓ１１７）の詳細を示すフローチャートである。
【図７】図６に続くフローチャートである。
【図８】画像選択画面の具体例を示す図である。
【図９】画像取得方法選択画面の具体例を示す図である。
【図１０】携帯電話への写真画像の転送時に表示される画面を示す図である。
【図１１】携帯電話への写真画像の転送完了時に表示される画面を示す図である。
【図１２】図７のステップＳ２２１において表示される画面を示す図である。
【図１３】ステップＳ２２３で表示されるＩＤ説明画面の具体例を示す図である。
【図１４】メールアドレス入力画面の具体例を示す図である。
【図１５】メールアドレスの確認画面の具体例を示す図である。
【図１６】携帯電話をリーダライタに置くよう指示する案内画面の具体例を示す図である。
【図１７】エラー内容の表示の具体例を示す図である。
【図１８】メールアドレスの入力画面の具体例を示す図である。
【図１９】携帯電話の置忘れを防止する案内画面の具体例を示す図である。
【図２０】サーバから利用者の携帯電話に送信されるメールの具体例を示す図である。
【図２１】利用者が非接触通信方式で画像を入手しなかった場合の表示画面を示す図である。
【図２２】利用者が非接触通信方式で画像を入手した場合の表示画面を示す図である。
【図２３】シールシートの具体例を示す図である。
【図２４】携帯電話がリーダライタに置かれていないときの落書き画面の具体例を示す図である。
【図２５】携帯電話がリーダライタに置かれているときの落書き画面の具体例を示す図である。
【図２６】落書き画面の一部に表示される、写真シール作成装置と携帯電話との通信を行なうためのメニューを示す図である。
【符号の説明】
【０１７０】
１ａ〜１ｃ，２ａ，２ｂ  写真シール作成装置、３１  タブレットディスプレイ、４０  通信部、４１  ＰＨＳユニット、４２  ＰＨＳカード、８５  プリンタ、１００ａ  第１コンピュータ装置、１００ｂ  第２コンピュータ装置、１０２ａ  記憶部、１１０  制御部、２０１  画像提供サーバ、２０１ａ  通信部、２０１ｂ  制御部、２０１ｃ  記憶部、２０５ａ〜２０５ｃ  携帯端末装置、２０７  通信部、２０９  操作部、２１１  表示部、２１３  記憶部、３０１ａ，３０１ｂ  リーダライタ。
【図１】
2008109580.tif 000003
【図２】
2008109580.tif 000004
【図３】
2008109580.tif 000005
【図４】
2008109580.tif 000006
【図５】
2008109580.tif 000007
【図６】
2008109580.tif 000008
【図７】
2008109580.tif 000009
【図８】
2008109580.tif 000010
【図９】
2008109580.tif 000011
【図１０】
2008109580.tif 000012
【図１１】
2008109580.tif 000013
【図１２】
2008109580.tif 000014
【図１３】
2008109580.tif 000015
【図１４】
2008109580.tif 000016
【図１５】
2008109580.tif 000017
【図１６】
2008109580.tif 000018
【図１７】
2008109580.tif 000019
【図１８】
2008109580.tif 000020
【図１９】
2008109580.tif 000021
【図２０】
2008109580.tif 000022
【図２１】
2008109580.tif 000023
【図２２】
2008109580.tif 000024
【図２３】
2008109580.tif 000025
【図２４】
2008109580.tif 000026
【図２５】
2008109580.tif 000027
【図２６】
2008109580.tif 000028